(57)【要約】【課題】サンプル定量後に分析装置内の温度が上昇した際に生じるサンプル保持部内の空気膨張によりサンプル定量部に再度不要なサンプルが供給されることのないサンプル分析用プレートを提供する。【解決手段】回転するための中心孔と、前記中心孔の周囲に設けられた生体サンプルが注入されるバッファ部と、前記バッファ部に接続されたサンプル保持部と、前記サンプル保持部に接続されたサンプルストッパー部と、前記サンプルストッパー部に接続された前記サンプルストッパー部よりも外周方向に設けられたサンプル定量部と、前記サンプル定量部に接続された前記サンプル定量部よりも外周方向に設けられたチャンバー部を設ける。【選択図】図２
2009058354.tif 000002
【特許請求の範囲】
【請求項１】
回転するための中心孔と、
前記中心孔の周囲に設けられた生体サンプルが注入されるバッファ部と、
前記バッファ部に接続されたサンプル保持部と、
前記サンプル保持部に接続されたサンプルストッパー部と、
前記サンプルストッパー部に接続された前記サンプルストッパー部よりも外周方向に設けられたサンプル定量部と、
前記サンプル定量部に接続された前記サンプル定量部よりも外周方向に設けられたチャンバー部とからなる生体サンプル分析用プレート。
【請求項２】
前記サンプル保持部はプレートを回転させた際に、前記サンプル保持部に移送された生体サンプルにより予め保有している空気が圧縮保持されることを特徴とする請求項１に記載の生体サンプル判別用プレート。
【請求項３】
前記サンプルストッパー部と前記サンプル定量部はサンプル定量流路で接続され、前記サンプルストッパー部の前記サンプル定量流路と連結される流出開口部は前記サンプルストッパー部の外周方向の壁面に設けたこと特徴とする請求項１に記載の生体サンプル分析用プレート。
【請求項４】
前記サンプルストッパー部と前記サンプル保持部はサンプル流入流路で接続され、前記サンプルストッパー部の前記サンプル流入流路と連結される流入開口部は前記流出開口部よりも内周方向の壁面に設けられたことを特徴とする請求項１に記載の生体サンプル分析用プレート。
【請求項５】
前記バッファ部は前記サンプル保持部よりも内周方向に設けられたことを特徴とする請求項１に記載の生体サンプル分析用プレート。
【請求項６】
前記生体サンプル分析用プレートは疎水性の材料であることを特徴とする請求項１に記載の生体サンプル判別用プレート。
【発明の詳細な説明】
【技術分野】
【０００１】
本発明は、ＤＮＡやタンパクその他の生体サンプルを緩衝剤中で移動させて得られる輸送反応を検出して生体サンプルを判別する生体サンプル分析用プレートに関する。
【背景技術】
【０００２】
生体サンプルは、大きくはＤＮＡとタンパクに分けられる。近年、分子生物学の急速な進展によって、様々な疾患において遺伝子の関与がかなり正確に理解されるようになり、遺伝子をターゲットにした医療に注目が集まっている。ＤＮＡを調べる方法としては、いくつかの方法が知られている。中でも電気泳動を用いる方法では、キャピラリー管を用いる方法が一般的であるが、キャピラリー中のサンプル、分析物、緩衝剤、及び試薬等の取り扱いが難しかった。最近では、取り扱いが難しいキャピラリー管からより簡便な分析を行うために、表面にキャピラリーやチャンバーを設け、これらの内部に予め緩衝剤や試薬などを設けた生体サンプル分析プレートが開発されている。
【０００３】
この生体サンプル分析用プレートにはプレートを回転させることで生じる遠心力を用いて生体サンプルの移送を行うものもある。図９に従来の生体サンプル分析用プレートを示す。従来の生体サンプル分析用プレートは、プレートの回転中心に対して内周側に設けた生体サンプルを注入するサンプル注入部２０９と外周側に設けたバッファ部２１６が流路２１５により連結されており、プレートを回転させることによりサンプル注入口２０８からサンプル注入部２０９へ注入された生体サンプルは流路２１５を通りバッファ部２１６に移動する。
【０００４】
さらに、バッファ２１６部よりも外周側に設けられたサンプル保持部２２０とバッファ部２１６が流路２１７、流路２１８により連結されており、バッファ部２１６に移動した生体サンプルはサンプル保持部２２０に達する。ここで、サンプル保持部２２０の流路２１８と連結される開口部はサンプル保持部２２０の外周方向の壁面に形成されているため、サンプル保持部２２０内に予め保有している空気は遠心力により移動してきた生体サンプルによって圧縮保持された状態になる。次に、プレートの回転を急停止することでサンプル保持部２２０内の圧縮された空気は一気に開放され、サンプル保持部２２０内の生体サンプルは流路２１８を内周側に逆流していく。ここで、流路２１８には流路２１９が連結されており、サンプル保持部２２０は流路２１９によりバッファ部２１６よりも内周側に設けられたチャンバー部２２１に連結されており、連結部とチャンバー部２２１の間にはサンプル定量部２２３が設けられている。
【０００５】
このため、プレートの回転を急停止することで、内周方向へ逆流した生体サンプルは流路２１９を通りチャンバー部２２１まで達し、流路２１９とサンプル定量部２２３に生体サンプルが充填された状態になる。次に、再度プレートを回転させることにより流路２１９に充填された生体サンプルはサンプル定量部２２３内に充填された生体サンプルを残し外周側へ移動し、バッファ部２１６及びサンプル保持部２２０へ移動する。これにより一定量のサンプルをサンプル定量部２２３に定量することが出来る。（例えば、特許文献１）
【特許文献１】国際公開第２００６／０６２１４９号パンフレット
【発明の開示】
【発明が解決しようとする課題】
【０００６】
しかしながら、前記従来の構成では、サンプル定量後に分析装置内部の温度ムラによりプレート上のサンプル保持部２２０の温度が上昇し、サンプル保持部２２０内に保有されている空気が膨張してサンプル保持部２２０内の不要な生体サンプルが膨張した空気の圧力により流路２１８、流路２１９に逆流して再度サンプル定量部２２３に供給されるという問題を有していた。
【０００７】
本発明は、前記従来の課題を解決するもので、サンプル定量後に分析装置内部の温度が上昇した際に生じるサンプル保持部２２０内部の空気膨張によりサンプル定量部２２３に再度不要なサンプルが供給されることのないサンプル分析用プレートを提供することを目的とする。
【課題を解決するための手段】
【０００８】
記従来の課題を解決するために、本発明の生体サンプル分析用プレートは、回転するための中心孔と、前記中心孔の周囲に設けられた生体サンプルが注入されるバッファ部と、
前記バッファ部に接続されたサンプル保持部と、前記サンプル保持部に接続されたサンプルストッパー部と、前記サンプルストッパー部に接続された前記サンプルストッパー部よりも外周方向に設けられたサンプル定量部と、前記サンプル定量部に接続された前記サンプル定量部よりも外周方向に設けられたチャンバー部とからなることを特徴としたものである。
【発明の効果】
【０００９】
本発明の生体サンプル分析用プレートによれば、生体サンプルを定量化した後に分析装置内部の温度が上昇した際に生じるサンプル保持部内の空気膨張により不要な生体サンプルが再度サンプル定量部に供給されることがないようにすることができる。
【発明を実施するための最良の形態】
【００１０】
以下に、本発明の生体サンプル分析用プレートの実施の形態を図面とともに詳細に説明する。
【００１１】
（実施の形態１）
図１から図８を用いて、本実施の形態１における生体サンプル分析用プレート及びそれを用いた生体サンプル分析方法について説明する。本発明は、生体サンプルを緩衝剤中で移動させて、生物学的、酵素的、免疫学的、及び化学的反応を行い、生体サンプルを容易かつ安価に精度よく短時間で判別することを実現するものである。
【００１２】
なお、本実施の形態１では、説明を具体的にするために、前記生体サンプルがＤＮＡサンプルで、前記緩衝剤が分離用ＤＮＡコンジュゲート及びＤＮＡ結合制御剤を含むものであるとし、本生体サンプル分析用プレートが、流路中に充填させた分離用ＤＮＡコンジュゲート中に、定量された前記ＤＮＡサンプルを添加して電気泳動を行い、該流路中の蛍光度あるいは吸光度を検出して、該ＤＮＡサンプルのＳＮＰｓ（一塩基多型）の有無を判別するものとする。
【００１３】
まず、本生体サンプル分析用プレートの構成について説明する。図１は、本生体サンプル分析用プレートのパターン形成面を示す図である。本プレート１０１は回転するための軸心１０５を中心にプレートを回転系に固定するための中心孔１０３が設けられており、流路となる幅１００から３００μｍ、深さ５０μｍの溝やチャンバーとなる孔で形成された流路パターン１０２が中心孔１０３の周囲に８個放射状に形成されており、同時に８検体の分析が可能となっている。本プレートの厚みは２ｍｍで、外形は８センチ四方の正方形であり、４角のうち３角はＲが設けられ、残りの１角は面取りされている。更に、位置決め孔１０４が設けられており、外形を非対称にして流路パターンの位置を特定できるようにしている。また、本プレートの材料はポリオレフィン系の樹脂を使用しており、流路形成面にプレートと同材料のフィルムを接着することで密閉流路を形成している。
【００１４】
図２は、生体サンプル分析用プレート１０１に形成された流路パターン１０２の詳細形状を示す図である。図２に示すように、流路パターン１０２は緩衝剤である分離用ＤＮＡコンジュゲートが注入される緩衝剤注入口１０６と、注入されたＤＮＡコンジュゲートを一旦保持するための緩衝剤注入部１０７と、ＤＮＡサンプルを注入するサンプル注入口１０８と、注入されたＤＮＡサンプルを保持するサンプル注入部１０９と、バッファ部１１６と、プレート回転中にＤＮＡサンプルを保持するサンプル保持部１２０と、サンプルストッパー部１２１と、チャンバー部１２２と、一定の容積を持ちＤＮＡサンプルを定量するためのサンプル定量部１２３と、正電圧の印加部である正電極部１１２と、負電圧の印加部である負電極部１１３と、これらを接続する流路とからなる。
【００１５】
ここで、本発明の主構成部分であるバッファ部１１６、サンプル保持部１２０、サンプルストッパー部１２１、チャンバー部１２２、定量部１２３付近の形状について詳細に説明する。
【００１６】
バッファ部１１６は、サンプル保持部１２０よりも内周方向に設けられており、バッファ部１１６とサンプル保持部１２０は流路１１７と流路１１８により接続されている。
サンプル保持部１２０の流路１１８と連結される開口部１２７はサンプル保持部１２０の外周方向の壁面に設けられている。また、サンプル保持部１２０は流路１１８と、流路１１７と流路１１８の連結部分に連結された流路１１９によりサンプルストッパー部１２１と接続されている。
【００１７】
サンプルストッパー部１２１はバッファ部１１６よりも内周側に設けられている。また、サンプルストッパー部１２１はサンプルストッパー部１２１よりも外周方向に設けられたサンプル定量部１２３と流路１２４によって接続されており、更に、サンプル定量部１２３はサンプル定量部１２３よりも外周方向に設けられたチャンバー部１２２と流路１２４によって接続されている。また、サンプルストッパー部１２１の流路１２４と連結される開口部１２８はサンプルストッパー部１２１の外周方向の壁面に設けられている。更に、サンプルストッパー部１２１とサンプル保持部１２０は流路１１８と流路１１９で接続されており、サンプルストッパー部の流路１１９と連結される開口部１２９はサンプルストッパー部１２１の開口部１２８よりも内周方向に設けられている。
【００１８】
以上説明したとおり本実施例ではサンプルストッパー部１２１をバッファ部１１６よりも内周方向に設けたが、この構成にこだわることなく、例えば流路１１９をバッファ部１１６よりも内周方向を通ってサンプルストッパー部１２１に接続するようにしてサンプルストッパー部１２１をバッファ部１１６よりも外周方向に配置してもよい。
【００１９】
それでは、図２を利用して前述した該ＤＮＡサンプルのＳＮＰｓ（一塩基多型）の有無を判別するまでの具体的操作および動作の一例を説明する。まず、検体となるＤＮＡサンプルを準備する。本来ＤＮＡは２本鎖の螺旋構造をしたものであるが、本実施の形態１においては、判別したいＳＮＰｓ部位を含む約６０塩基長の１本鎖ＤＮＡを準備する。抽出方法や１本鎖化については本発明とは直接関係がないので詳細説明は省略する。
【００２０】
次に、緩衝剤としてＤＮＡコンジュゲートを準備する。ＤＮＡコンジュゲートとは、６〜１２塩基長１本鎖ＤＮＡの５'末端に高分子のリニアポリマーが共有結合したものである。さらにＤＮＡは、正常型に対しては相補であるが変異型に対しては相補ではない配列であり、正常型ＤＮＡに対しての結合力が強く、変異型ＤＮＡに対しての結合力が弱い特性がある。また、電気泳動した場合、５'末端に結合したリニアポリマーがおもりとなり泳動速度がかなり遅いという特性もある。以降に記述する「ＤＮＡコンジュゲート」とは、電解質の役目もするｐＨ緩衝剤およびＭｇＣｌ2などのＤＮＡ結合力制御剤を含んだ物性とする。
【００２１】
試料の準備が終わったところで、ＤＮＡコンジュゲートおよびＤＮＡサンプルをプレート１０１内へ注入する。ＤＮＡコンジュゲートはピペッター等により定量を緩衝剤注入口１０６から緩衝剤注入部１０７へ分注する。ＤＮＡサンプルも同様に定量をサンプル注入口１０８よりサンプル注入部１０９へ分注する。分注量としては、流路パターンのスケールにより異なるが本実施の形態１においては、ＤＮＡコンジュゲートは１８マイクロリットル、ＤＮＡサンプルは２マイクロリットルとする。
【００２２】
次に、プレート１０１をモータ等に固定して、軸心１０５を軸に回転を行う。この時分注されたＤＮＡコンジュゲートとＤＮＡサンプルは、遠心力により外周方向へと移動する。緩衝剤注入部１０７内のＤＮＡコンジュゲートは流路１１０と流路１１１を通り正電極部１１２と負電極部１１３へ等分され正電極部１１２へ移動したＤＮＡコンジュゲートはさらに流路１１４を通りサンプル定量部１２３まで移動する。負電極部１１３へ移動したＤＮＡコンジュゲートも同様に流路１１４を通りサンプル定量部１２３まで移動する。
【００２３】
図３は回転開始から２分後、ＤＮＡコンジュゲートの移動が停止した状態を示す図である。斜線で示す部分がＤＮＡコンジュゲートであり、ＤＮＡコンジュゲートは、正電極部１１２および負電極部１１３の６割程度まで充填されており、流路１１４を満たしており、正電極部１１２と負電極部１１３内に存在するＤＮＡコンジュゲートの液面高さとサンプル定量部１２３の液面高さは、プレートの軸心を中心とする同一円周上となる。
【００２４】
また、図４は図３のサンプル定量１２３部周辺を拡大した図である。ＤＮＡコンジュゲートは流路１１４に充填され、サンプル定量部１２３において合流し、サンプル定量部はＤＮＡコンジュゲートと空気の２層に分かれた状態になっている。
【００２５】
次に、ＤＮＡサンプルの移動について説明する。サンプル注入部１０９内のＤＮＡサンプルはプレートを回転させることで発生した遠心力により流路１１５を通りバッファ部１１６へ流入する。さらに、バッファ部１１６は流路１１７、流路１１８によりサンプル保持部１２０と接続されており、サンプル保持部１２０よりも内周方向に設けられているため、バッファ部１１６へ流れ込んだＤＮＡサンプルは流路１１７と流路１１８を通りサンプル保持部まで移動する。しかしながら、図２に示すように、流路１１８のサンプル保持部１２０と連結される開口部１２７はサンプル保持部１２０の外周方向の壁面に接続されており、かつ、サンプル保持部には空気抜けが可能となる空気孔も空気抜け流路も存在しない。そのため、サンプル保持部１２０内に予め保有している空気は遠心力により移動してきたＤＮＡサンプルにより圧縮された状態になる。ここで、ＤＮＡサンプルは流路１１７と流路１１８の連結部に連結された流路１１９にもＤＮＡサンプルが流入することになるが、サンプルストッパー部１２１はバッファ部１１６よりも内周方向に設けられているため、プレート回転中バッファ部１１６内のＤＮＡサンプルの液面と流路１１９内の液面は軸心１０５を中心とする同一円周上となり回転中にＤＮＡサンプルがサンプルストッパー部１２１に注入されることはない。
【００２６】
図５はプレート回転後ＤＮＡサンプルの移動が停止した状態を示す図である。ＤＮＡサンプルはバッファ部の５割程度まで充填されており、流路１１７と流路１１８を満たし、サンプル保持部１２０の２割程度まで充填されている。また、流路１１９にも充填されており、流路１１９内のＤＮＡサンプルの液面高さとバッファ部１１６内のＤＮＡサンプルの液面高さはプレートの軸心１０５を中心とする同一円周上となっている。サンプル保持部１２０内の空気は圧縮された状態になっており、プレート回転中のみ図５に示すように遠心力と加圧力とが平衡となった状態を維持する。
【００２７】
次に、プレートを一定時間回転させＤＮＡサンプルとＤＮＡコンジュゲートの移動が停止した状態で、プレートの回転を急停止させる。例えば、４０００ｒｐｍより２秒で停止まで至らしめる。プレートの回転を急停止することにより、ＤＮＡサンプルにかかっていた遠心力がなくなるため、サンプル保持部１２０内で圧縮されていた空気は一気に開放され、ＤＮＡサンプルはサンプル保持部１２０から流路１１８へ逆流しようとする。さらに、ＤＮＡサンプルはサンプル保持部１２０内の空気が大気圧となるまで流路１１８を移動しようとし、流路１１８、流路１１９を通りサンプルストッパー部１２１まで達する。
【００２８】
図６はプレートの回転を急停止させた直後の状態を示す図である。ＤＮＡサンプルは流路１１８、流路１１９を満たし、サンプルストッパー部１２１に注入された状態になっている。
【００２９】
次に、プレートをもう１度数秒間回転させて停止させる。（例えば３６００ｒｐｍで３秒間）ここで、本実施の形態１では減速を緩やかにしている。（例えば３６００ｒｐｍから６０秒で停止まで至らしめる）
サンプルストッパー部１２１内に注入されたＤＮＡサンプルはプレートを回転することによって生じる遠心力により外周方向へ移動する。このとき、サンプルストッパー部１２１の流路１２４と連結される開口部１２８は、サンプルストッパー部１２１の外周方向の壁に設けられており、更に、サンプルストッパー部１２１の流路１１９と連結される開口部１２９は、サンプルストッパー部１２１の流路１２４と連結される開口部１２８よりも内周方向に設けられているため、ＤＮＡサンプルは流路１２４を通り、チャンバー部１２２まで移動する。このとき、ストッパー部１２１とチャンバー部１２２の間にあるサンプル定量部１２３にＤＮＡサンプルが充填されることになる。プレートを数秒回転させることにより、ＤＮＡサンプルはサンプル定量部１２３を残して全てチャンバー部１２２に移動する。
【００３０】
図７はプレートの回転を停止した後の状態を示す図である。ＤＮＡサンプルはサンプル定量部１２３において流路１１４から充填されたＤＮＡコンジュゲートと接している。また、サンプルストッパー部に注入されたＤＮＡサンプルはサンプル定量部１２３を残してすべてチャンバー部１２２へ移動している。また、流路１１９内に充填されたＤＮＡサンプルは外周方向へ移動している。ここで、流路１１９内に残っているＤＮＡサンプルは遠心力によりサンプル保持部１２０に戻されるため、再びサンプル保持部１２０内の空気が圧縮されることになるが、プレートの回転の減速を緩やかにすることによりサンプル保持部１２０内のＤＮＡサンプルが流路１１９を逆流することはない。
【００３１】
以上により、サンプル定量部１２３に一定量のＤＮＡサンプルを残留させることができ、サンプル定量部１２３のＤＮＡサンプルが分析をする最終試料となる。
【００３２】
次に、電気泳動を行う。電気泳動は正電極部１１２に正電極、負電極部１１３に負電極を、プレート１０１の外部からフィルムを突き破って挿入して、分離用ＤＮＡコンジュゲートと接触させる。そして数百Ｖの電圧を印加する。すると、流路１１４およびサンプル定量部１２３において電界が発生し、サンプル定量部１２３に一定量残存したＤＮＡサンプルは流路１１４中を正電極側（図７中Ａ方向）へ移動する。
【００３３】
流路１１４中には分離用ＤＮＡコンジュゲートが充填されており、ＤＮＡサンプルは分離用ＤＮＡコンジュゲートとの結合を繰り返しながら電気泳動する。この時、上述したようにＤＮＡサンプル中の正常型ＤＮＡは分離用ＤＮＡコンジュゲートとの結合力が強いため泳動速度が遅くなり、変異型ＤＮＡは結合力が弱いため正常型に比べ泳動速度は速くなる。つまりＤＮＡサンプル中に正常型、変異型両方が存在した場合は、正常型のＤＮＡと変異型のＤＮＡが分離していくこととなり、ＳＮＰｓの判別が行える。
【００３４】
ＤＮＡの検出は、蛍光標識（ＦＩＴＣ）を修飾したＤＮＡを４７０ｎｍの光で励起し、５２０ｎｍ付近の光検出によって行った。ＤＮＡの検出は、２６０ｎｍの吸光度によって行ってもよい。また、流路１１４を電気泳動するＤＮＡを、プレート１０１を回転させながら走査して光検出することもできる。
【００３５】
次に、ＤＮＡサンプルを定量した後、分析装置内部の温度上昇によってサンプル保持部１２０内の空気が膨張した場合について説明する。
【００３６】
サンプル保持部１２０の温度が上昇することによってサンプル保持部１２０内の空気は膨張し、サンプル保持部１２１内のＤＮＡサンプルが押され、流路１１８、流路１１９を逆流しサンプルストッパー部１２１へ達する。
【００３７】
図８はＤＮＡサンプルの定量した後析装置内部の温度上昇によってサンプル保持部１２０内の空気が膨張したときの状態を示す図である。ＤＮＡサンプルは流路１１９を満たしており、サンプルストッパー部１２１へ注入されており、ＤＮＡサンプルはサンプルストッパー部１２１内に留まっている。サンプルストッパー部１２１内に注入されたＤＮＡサンプルはプレートを回転させて遠心力を与えない限り、流路１２４に流れ込むことはないため、分析に不要なＤＮＡサンプルがサンプル定量部１２３に供給されてしまうことはない。
【００３８】
以上のように、実施の形態１においては、サンプル保持部１２０をバッファ部１１６とサンプル保持部１２０を接続する流路１１８に連結された流路１１９によりサンプルストッパー部１２１と接続し、サンプルストッパー部よりも外周方向に設けたサンプル定量部１２３とサンプル定量部１２３よりも外周方向に設けたチャンバー部を流路１２４で接続することにより、サンプル定量後に分析装置内の温度の温度が上昇した際に不要な生体サンプルがサンプル定量部１２３に供給されることがないようにすることができる。これにより、ＤＮＡの検出を安定して行うことができる。
【産業上の利用可能性】
【００３９】
本発明の生体サンプル分析用プレートは、分析装置内部の温度変化を必要とするＤＮＡサンプル等の生体サンプル分析装置に有用である。
【図面の簡単な説明】
【００４０】
【図１】本発明の実施の形態１における生体サンプル分析用プレートの流路形成面を示した図
【図２】本発明の実施の形態１における生体サンプル分析用プレートに形成される流路パターンを示した図
【図３】本発明の実施の形態１における試料充填処理を施した時のＤＮＡコンジュゲートの状態を示した図
【図４】本発明の実施の形態１における試料充填処理を施した時のサンプル定量部付近の状態を示した図
【図５】本発明の実施の形態１における生体サンプル分析用プレートにＤＮＡコンジュゲートとＤＮＡサンプルを充填し、４０００ｒｐｍにて回転中の各試料の状態を示した図
【図６】本発明の実施の形態１における生体サンプル分析用プレートにＤＮＡコンジュゲートとＤＮＡサンプルを充填し、４０００ｒｐｍにて回転停止後、２秒で停止まで至らしめた時の各試料の状態を示した図
【図７】本発明の実施の形態１における生体サンプル分析用プレートにＤＮＡコンジュゲートとＤＮＡサンプルを充填し、４０００ｒｐｍにて回転停止後、３６００ｒｐｍにて３秒間再回転した直後の各試料の状態を示した図
【図８】本発明の実施の形態１における生体サンプル分析用プレートにサンプル定量後分析装置内部の温度上昇によりサンプル保持部内の空気が膨張した時の各試料の状態を示した図
【図９】従来の生体サンプル分析用プレートに形成される流路パターンを示す図
【符号の説明】
【００４１】
１０１  生体サンプル分析用プレート
１０２  流路パターン
１０３  中心孔
１０４  位置決め孔
１０５  軸心
１０６  緩衝剤注入口
１０７  緩衝剤注入部
１０８  サンプル注入口
１０９  サンプル注入部
１１０  流路
１１１  流路
１１２  正電極部
１１３  負電極部
１１４  流路
１１５  流路
１１６  バッファ部
１１７  流路
１１８  流路
１１９  流路
１２０  サンプル保持部
１２１  サンプルストッパー部
１２２  チャンバー部
１２３  サンプル定量部
１２４  流路
１２５  流路
１２６  流路
１２７  開口部
１２８  開口部
１２９  開口部
２０６  緩衝剤注入口
２０７  緩衝剤注入部
２０８  サンプル注入口
２０９  サンプル注入部
２１０  流路
２１１  流路
２１２  正電極部
２１３  負電極部
２１４  流路
２１５  流路
２１６  バッファ部
２１７  流路
２１８  流路
２１９  流路
２２０  サンプル保持部
２２１  チャンバー部
２２２  流路
２２３  定量部
２２４  流路
【図１】
2009058354.tif 000003
【図２】
2009058354.tif 000004
【図３】
2009058354.tif 000005
【図４】
2009058354.tif 000006
【図５】
2009058354.tif 000007
【図６】
2009058354.tif 000008
【図７】
2009058354.tif 000009
【図８】
2009058354.tif 000010
【図９】
2009058354.tif 000011